(57)【要約】【課題】スズメバチ科昆虫用ベイトステーションの容器としてスズメバチ科昆虫が進入・退出しやすい容器を提供する。【解決手段】スズメバチ科昆虫誘引成分と遅効性殺虫成分を含む毒餌を収容し、スズメバチ科昆虫が進入し退出できる開口部と退出補助構造を備えたスズメバチ科昆虫用ベイトステーション構造物、及びスズメバチ科昆虫が進入し退出できる開口部と、開口部から前記毒餌に届く長さとスズメバチ科昆虫が歩行する足場となる構造を有する退出補助構造を備えた容器。【選択図】なし【特許請求の範囲】
【請求項１】
スズメバチ科昆虫誘引成分と殺虫成分を含む毒餌を収容し、スズメバチ科昆虫が進入し退出できる開口部と退出を補助する構造(退出補助構造)を備えたスズメバチ科昆虫用ベイトステーション構造物。
【請求項２】
前記スズメバチ科昆虫の退出補助構造が、開口部から前記毒餌に届く長さとスズメバチ科昆虫が歩行する足場となる構造を有する請求項１に記載のスズメバチ科昆虫用ベイトステーション構造物。
【請求項３】
前記足場となる構造が、断面が開口部に一致（整合）し、長さが前記毒餌に届く網目筒状体である請求項２に記載のスズメバチ科昆虫用ベイトステーション構造物。
【請求項４】
スズメバチ科昆虫がスズメバチ亜科昆虫またはアシナガバチ亜科昆虫である請求項１〜３のいずれかに記載のスズメバチ科昆虫用ベイトステーション構造物。
【請求項５】
スズメバチ科昆虫が進入し退出できる開口部と、開口部から餌の収容部に届く長さを有するスズメバチ科昆虫の退出を補助する構造を備えた容器。
【発明の詳細な説明】
【技術分野】
【０００１】
本発明はスズメバチ科昆虫用ベイトステーション構造物に関する。さらに詳しく言えば、スズメバチ科昆虫を巣ごと駆除することを目的とする、スズメバチ科昆虫が出入り可能な構造を備えたスズメバチ科昆虫用ベイトステーション構造物及びその構造物に使用する容器に関する。
【０００２】
日常生活において飛翔性生物は時として人間生活に害を及ぼす。例えば、マイマイガは各地で異常発生し、サッカーの試合を中断させ、また農作物へ被害を与える。ヒトスジシマカなどの所謂蚊はデング熱原因菌などの病原菌の宿主となり、猛威を振るう。
スズメバチ科昆虫も同様である。針を持ち、攻撃してくる。刺された場合激痛を伴い腫れる場合もある。一部の種では毒を有しており、アナフィラキシーショックによる死亡例も多数報告されている。対策としてはエアゾールで殺虫する方法（特開２００８−１５６２３５号公報；特許文献１）や捕殺器（登録実用新案第３２０１０２１号公報；特許文献２）が知られている。
【０００３】
他の昆虫では毒餌を用いた方法も提案され、昆虫を巣ごと駆除することを目的とするベイトステーションが商品化されている。ベイトステーションとは、雨風を避けられることが出来、設置のしやすさ、対象害虫の出入りのしやすさを考慮した容器に害虫誘引成分と殺虫成分を配合した毒餌を収容したものである。
例えば、アリでは殺虫成分を含む毒餌を巣に運ばせて巣を駆除する製品が住友化学園芸株式会社から「アリアトールハウス」という名称で商品化されている。スズメバチについても働き蜂に毒餌を持ち帰らせて巣を駆除するアイデアは古くから知られているが（特開２００２−４７１０６号公報；特許文献３）、毒餌が液体の場合、出入りしやすいように容器を工夫しないと容器内で個体が死んでしまい、毒餌を巣に持ち帰れないという問題があった。しかし、出入りしやすいよう出入り口を大きくすると餌が乾燥したり、ゴミが入りやすくなるなどの課題が残されていた。
スズメバチ科昆虫のベイトステーション用の毒餌は、スズメバチ科昆虫に対する公知の誘因成分（例えば、ミルワーム、オキアミ、魚粉など（特許文献３）に遅効性の殺虫成分を混合して調製することが出来る。
【先行技術文献】
【特許文献】
【０００４】
【特許文献１】特開２００８−１５６２３５号公報
【特許文献２】登録実用新案第３２０１０２１号公報
【特許文献３】特開２００２−４７１０６号公報
【発明の概要】
【発明が解決しようとする課題】
【０００５】
本発明の課題は、スズメバチ科昆虫が殺虫成分を含む毒餌を巣に持ち帰りやすい構造（容器に進入し容器から退出しやすい構造）とした容器を使用したベイトステーション構造物を提供することにある。
【課題を解決するための手段】
【０００６】
本発明者らは、上記課題を解決すべく鋭意検討を重ねた結果、スズメバチの出入り口と餌までの間をスズメバチ科昆虫の退出を助ける構造（退出補助構造）とすることにより本発明を完成した。
【０００７】
すなわち、本発明は下記１〜５のスズメバチ科昆虫用ベイトステーション構造物及び容器を提供する。
［１］スズメバチ科昆虫誘引成分と殺虫成分を含む毒餌を収容し、スズメバチ科昆虫が進入し退出できる開口部と退出を補助する構造(退出補助構造)を備えたスズメバチ科昆虫用ベイトステーション構造物。
［２］前記スズメバチ科昆虫の退出補助構造が、開口部から前記毒餌に届く長さとスズメバチ科昆虫が歩行する足場となる構造を有する前項１に記載のスズメバチ科昆虫用ベイトステーション構造物。
［３］前記足場となる構造が、断面が開口部に一致（整合）し、長さが前記毒餌に届く網目筒状体である前項２に記載のスズメバチ科昆虫用ベイトステーション構造物。
［４］スズメバチ科昆虫がスズメバチ亜科昆虫またはアシナガバチ亜科昆虫である前項１〜３のいずれかに記載のスズメバチ科昆虫用ベイトステーション構造物。
［５］スズメバチ科昆虫が進入し退出できる開口部と、開口部から餌の収容部に届く長さを有するスズメバチ科昆虫の退出を補助する構造を備えた容器。
【発明の効果】
【０００８】
本発明は、スズメバチ科昆虫誘引成分と殺虫成分を含む毒餌をスズメバチ科昆虫が進入し退出できる開口部と退出補助構造とを有する容器に収容したスズメバチ科昆虫用ベイトステーション構造物を提供したものであり、容器に進入したスズメバチ科昆虫が容器内で死ぬことなく退出するため、スズメバチ科昆虫が持ち帰った毒餌によりスズメバチ科昆虫を巣ごと駆除することが期待できる。
【図面の簡単な説明】
【０００９】
【図１】本発明のスズメバチ科昆虫用ベイトステーション構造物に用いる液状の毒餌を収容した容器例の斜視図である。
【図２】図1の容器の側面図である。
【発明を実施するための形態】
【００１０】
本発明はハチ目スズメバチ科に属する昆虫の中で、わが国に生息するスズメバチ亜科及びアシナガバチ亜科に属する昆虫を対象とする。
ハチ目スズメバチ科に属するスズメバチ亜科（Vespinae）に属するものは、スズメバチ属、クロスズメバチ属、ホオナガスズメバチ属、ヤミスズメバチ属の４グループに分かれる。日本には３属１６種のスズメバチが生息している。
ハチ目スズメバチ科に属するスズメバチ科アシナガバチ亜科に属するハチは、日本には３属１１種が生息し、セグロアシナガバチ、キアシナガバチ、フタモンアシナガバチ及びコアシナガバチがよく見られる。
【００１１】
本発明に係るスズメバチ科昆虫用ベイトステーション構造物では、スズメバチ科昆虫が進入し退出できる開口部とスズメバチ科昆虫の退出を補助する構造（「退出補助構造」と略記することがある。）を備えた容器を用い、容器の下部にスズメバチ科昆虫誘引成分と殺虫成分を含む毒餌を収容して使用される。
【００１２】
本発明で使用する容器は、スズメバチ科昆虫が進入し退出できる孔（開口部）を備え、前記開口部から餌収容部まで届くスズメバチ科昆虫の退出を助ける構造（退出補助構造）を備えている。
スズメバチ科昆虫が餌を取りに進入し、餌を保持して退出するための孔（開口部）の形状は特に制限されないが、オオスズメバチなどの大型のスズメバチ科昆虫が出入りできるサイズ、例えば直径２ｃｍ以上の円形の孔、一辺が２ｃｍ以上の四角い孔など大型スズメバチ科昆虫が出入りできる大きさの孔が好ましい。
【００１３】
次に、餌を収納する容器について説明する。
容器の材料としては、金属類、プラスチック類、セラミック類等が挙げられるが、加工のし易さ等などを考慮するとプラスチックが好ましい。
容器の色は、特に限定されないが、黄色、黒、茶色、緑、橙色などが挙げられ、黄色や黒が好ましい。
容器の大きさも特に限定されないが、小さすぎると餌を設置するスペースが足らず、大きすぎると設置場所が制限されるなどの問題があるため、例えば内容積が数１０〜数１００ｍＬ程度、好ましくは１００〜５００ｍＬである。
【００１４】
本発明で使用する容器の特徴は、餌を求めて容器に進入したスズメバチ科昆虫が餌を保持して確実に容器から退出するのを助ける退出補助構造を備えていることにある。
退出補助構造は、開口部から容器底部に収納する毒餌に届く長さとスズメバチ科昆虫が歩行する足場となる構造であれば特に限定されない。以下、好ましい実施態様として断面が開口部に一致（整合）し、長さが容器に収容した餌に届く筒状体の例を図面を参照して説明する。図１は退出補助構造の筒状体２が網状である本実施態様の容器１に液状の餌３を収容した状態の斜視図を示し、図２に図１の側面図を示す。本例では、スズメバチ科昆虫は容器内で筒状体の内部のみ上下に移動できるが、筒状体の外部ヘは移動することはできない。
【００１５】
筒状体は、その内面を収容部の餌を保持したスズメバチ科昆虫が開口部まで容易に歩行できる足場となるものである。
スズメバチ科昆虫は一般的な昆虫と同様に飛来し、歩きやすい面上を歩行することが出来る。例えば、金属、ガラスなどの平滑な面上は歩きにくいと考えられる。一方、皮革類、布類、木材類、平滑でない樹脂面、あるいはメッシュ(網)などは歩行の足場となる凹凸があり、その面上を容易に歩行できると考えられる。従って、筒状体の材料は、スズメバチが歩行の足場となる凹凸面または凹凸構造を備えた材料であればよく、網目構造に限定されるものではないが、網目筒状体の場合は容器下部に収容した液状の毒餌が自由に筒状体内に移動(流動)できる。筒状体の材料は、製作が容易であることや耐久性を考慮するとプラスチックからなるものが好ましい。
【００１６】
容器内にスズメバチ科昆虫が好む餌を入れることによりスズメバチ科昆虫を内部に誘引することが出来る。餌には毒（殺虫剤）を混合しておく。スズメバチ科昆虫は巣帰着時に口移しのような形で餌の交換（餌の分配）を行う習性があるので、この修正を利用して巣を駆除することが期待できる。
【００１７】
本発明で容器に収容する毒餌は誘引成分と殺虫成分からなるものである。
誘引成分は特に限定はされないが、例えば精油、糖類、乳製品、香料、アルコール類、酢酸発酵物を含む液体、果汁ジュースなどを１種、または２種以上を混合して使用することが出来る。これらを液体のまま、または例えば寒天、グァーガム、ポリアクリル酸ナトリウムなどのゲル化剤、増粘剤と混合してゲル状または固体として使用することが出来る。
また、肉、魚、キャットフード、昆虫ゼリー、生体（バッタ、コオロギ）などの固形物も誘引成分（餌成分）として使用することが出来る。
【００１８】
上記誘引成分に殺虫成分を混合して毒餌にする。
殺虫成分としては、例えば、ペルメトリン（（３−フェノキシベンジル＝（１ＲＳ，３ＲＳ）−（１ＲＳ，３ＲＳ）−３−（２，２−ジクロロビニル）−２，２−ジメチルシクロプロパンカルボキシラート）、シベルメトリン（（ＲＳ）−α−シアノ−３−フェノキシベンジル＝（１ＲＳ，３ＲＳ）−（１ＲＳ，３ＲＳ）−３−（２，２−ジクロロビニル）−２，２−ジメチルシクロプロパンカルボキシラート）、フェンバレレエート（α−シアノ−３−フェノキシベンジル−２−（４−クロロフェニル）−３−メチルブタノエート）、ジノテフラン（（ＲＳ）−１−メチル−２−ニトロ−３−（テトラヒドロ−３−フリルメチル）グアニジン）、バイスロイド（シアノ（４−フルオロ−３−フェノキシフェニルメチル−３−（２，２−ジクロロエテニル）−２，２−ジメチルシクロプロパンカルボキシレート）、ＣＹＡＰ（Ｏ，Ｏ−ジメチル−Ｏ−ｐ−シアノフェニル＝チオホスフェート）、ＤＭＴＰ（Ｏ，Ｏ−ジメチル−Ｓ［５−メトキシ−１，３，４−チアジアゾル−２（３Ｈ）オニル−（３）−メチル］ジチオホスフェート）、ＢＲＰ（ジメチル−１，２−ジブロム−２，２−ジクロロエチルホスフェート）、サリチオン（２−メトキシ−４Ｈ−１，３，２−ベンゾジオキサホスホリン−２−スルフィド）、ＤＤＶＰ（ジメチル２，２−ジクロルビニルホスフェート）、スミチオン（ＭＥＰ）、（Ｏ，Ｏ−ジメチル−Ｏ−（３−メチル−４−ニトロフェニル) チオホスフェート) 、クロチアニジン（（Ｅ）−１−（２−クロロ−１，３−チアゾール−５−イルメチル）−３−メチル−２−ニトログアニジン）、マラソン（Ｓ−〔１，２，−ビス（エトキシカルボニル）エチル〕ジメチルホスホロチオールチオネート）、ジメトエート（ジメチルＳ−（Ｎ−メチルカルバモイルメチル）ジチオホスフェート）、エルサン（Ｓ−〔α−（エトキシカルボニル）ベンジル〕ジメチルホスホロチオールチオネート) 、バイジット（Ｏ，Ｏ−ジメチル−Ｏ−（３−メチル−４−メチルチオフェニルチオホスフェート））、バッサ（Ｏ−ｓｅｃ−ブチルフェニルメチルカーバメート）、ＭＴＭＣ（ｍ−トリルメチルカーバメート）、メオパール（３，４−ジメチルフェニル−Ｎ−メチルカーバメート）、ＮＡＣ（１−ナフチル−Ｎ−メチルカーバメート）、メソミル（Ｓメチル−Ｎ〔（メチルカルバモイル）オキシ〕チオアセトイミド）、カルタップ（１，３−ビス（カルバモイルチオ）−２−（Ｎ，Ｎ−ジメチルアミノ）プロパンハイドロクロライド）等が挙げられるが、これらに制限されるものではない。
更に所望により殺虫剤などの製剤調製時に用いられる慣用の溶剤、凍結防止剤、消泡剤、防腐剤、酸化防止剤及び増粘剤等を適宜添加することが出来る。
【実施例】
【００１９】
以下に、実施例、比較例及び試験例を挙げて本発明をさらに具体的に説明するが、本発明はこれらの例のみに限定されるものではない。実施例及び比較例で用いた部材は以下の通りである。
【００２０】
（１）クリーンカップ（登録商標）１２９パイ８６０Ｂ：リスパック（株）製（以下、プラカップと称す。）
（２）ネトロン・プロテクターＣ−１６・黒：大日本プラスチックス(株)製（以下、アミ筒と称す。）
（３）ヤクルト（登録商標）４００：（株）ヤクルト本社製
【００２１】
実施例１：
プラカップの蓋の中央に直径３．２ｃｍの孔を開け、アミ筒を長さ１０ｃｍに切断し、プラカップ蓋の孔に通した。プラカップ内にヤクルト４００を餌（誘引成分）として２００ｍＬ入れて蓋をしたものを実施例１の容器とした。
【００２２】
比較例１：
実施例１からアミ筒を除いたもの、即ち足場が無い物を比較例１の容器とした。
【００２３】
試験例１：
スズメバチ科昆虫歩行の足場となる退出補助構造を備えた実施例１の容器と足場のない比較例１の容器を比較する試験を以下のように実施した。
実施例１及び比較例１の容器をそれぞれ別の横３２ｃｍ・奥行１７ｃｍ・高さ２５ｃｍのプラスチック容器に入れた。コガタスズメバチ１頭をプラスチック容器内に放虫し、実施例１または比較例１の容器内に入る回数及び出る回数を確認した。本試験では６時間確認を続け、合計回数を試験結果とした。
【００２４】
【表１】
2019030247.tif 000002
【００２５】
試験例１において、実施例１では２反復合計で１０回進入が認められ、進入した個体全てが脱出した。なお、脱出した個体はいずれも餌を摂食していることが確認された。
一方、比較例１では合計回数が進入２回、脱出１回と少ないが、反復１では１時間目までに進入し、脱出に５時間かかっているために出入り回数が少なくなっている。また反復２では１時間目までに進入し、脱出できなかった。この個体は翌日容器内での死亡（液体餌で溺死）が確認された。
試験例１から、本発明の容器はスズメバチ亜科昆虫が出入り（進入・退出）し易い構造であることが理解できる。
【００２６】
試験例２：
実施例１（足場有）の容器のみで大型のオオスズメバチについて試験例１同様に試験を行った。結果を表２に示す。
【００２７】
【表２】
2019030247.tif 000003
【００２８】
試験例２において、試験例１同様に大型のスズメバチ科昆虫であるオオスズメバチも２反復合計で６回進入が認められ、進入した全てが脱出した。従って、実施例１の容器の足場システム（退出補助構造）は大型のスズメバチ科昆虫にも適合したものであることが確認された。なお、脱出した個体はいずれも摂食していることが確認された。
【００２９】
試験例３：
実施例１（足場有）の容器のみでセグロアシナガバチについて試験例１同様に試験を行った。試験例３では頭数を１０に増やした。結果を表３に示す。
【００３０】
【表３】
2019030247.tif 000004
【００３１】
試験例３において、アシナガバチ科昆虫であるセグロアシナガバチも合計で３１回進入が認められ、進入した全てが脱出した。従って、実施例１の容器の足場システム（退出補助構造）はアシナガバチ亜科昆虫にも適用できることが確認された。なお、脱出した個体はいずれも摂食していることが確認された。
【００３２】
試験例４：
実施例１（足場有）の容器のみでキアシナガバチについて試験例３同様に試験を行った。結果を表４に示す。
【００３３】
【表４】
2019030247.tif 000005
【００３４】
試験例４において、アシナガバチ科昆虫であるキアシナガバチも合計で１７回進入が認められ、進入した全てが脱出した。従って、実施例１の容器の足場システム（退出補助構造）はアシナガバチ亜科昆虫２種にも適用できることが確認された。なお、脱出した個体はいずれも摂食していることが確認された。
【産業上の利用可能性】
【００３５】
容器にスズメバチ科昆虫が進入し退出できる開口部を設け、餌を保持したスズメバチ科昆虫が開口部まで容易に歩行して移動できる退出補助構造（足場）を設けた容器に毒餌を収容する本発明のスズメバチ科昆虫用ベイトステーションによってスズメバチ科昆虫を巣ごと駆除することが期待できる。
【符号の説明】
【００３６】
１  容器
２  筒状体
３  液状の餌
【図１】
2019030247.tif 000006
【図２】
2019030247.tif 000007